(57)【特許請求の範囲】
【請求項１】
容器本体からの内容物に対する横方向通路およびその外部空間域流出側の泡生成部を備えた操作ボタンの内容物放出操作により、前記横方向通路を流れる霧状態の前記内容物がその流れによる負圧化で外気取入れ部より流入する外気とマージされながら前記泡生成部を通過してから外部空間域に放出される内容物放出機構において、
前記外気取入れ部が、
前記横方向通路の、前記泡生成部よりも上流域における異物流入防止作用を呈する下側部分のみに形成された、
ことを特徴とする内容物放出機構。
【請求項２】
前記操作ボタンは、
少なくともその前側部分および左右両側部分に連続形成されて、前記外気取入れ部と連通状態の外気供給空間域を設定する垂下部を備えた、
ことを特徴とする請求項１記載の内容物放出機構。
【請求項３】
前記操作ボタンは、
前記外気取入れ部と連通状態のバックサクション空間域を設定する筒状垂下部を備え、
前記容器本体の上開口側に取り付けられる筒状のキャップ部材に対して上下動可能な形で設定され、
前記キャップ部材は、
前記垂下筒状部との間でシール作用を呈して前記バックサクション空間域を設定する環状起立部を備え、
前記操作ボタンの内容物放出操作にともない、
前記バックサクション空間域の容積が減少し、その中に流入済みの外気に対する加圧作用により前記外気が前記外気取入れ部から前記横方向通路に供給され、
前記内容物放出操作の解除にともない、
前記バックサクション空間域の容積が増加してその中が減圧状態に移行することにより前記泡生成部やその近くの残留内容物が前記外気取入れ部を介して前記バックサクション空間域に吸い込まれる、
ことを特徴とする請求項１記載の内容物放出機構。
【請求項４】
前記操作ボタンは、
前記垂下筒状部の内側に、内垂下筒状部を、双方の間の天井部分に前記外気取入れ部が設定される態様で備え、
前記バックサクション空間域は、
前記垂下筒状部と前記内垂下筒状部との間の上空間域と、
前記環状起立部の内側で前記上空間域の下方の下空間域と、からなる、
ことを特徴とする請求項３記載の内容物放出機構。
【請求項５】
請求項１乃至請求項４のいずれかに記載の内容物放出機構を備え、かつ、前記容器本体に液状内容物を収容した、
ことを特徴とするポンプ式製品。
【発明の詳細な説明】
【技術分野】
【０００１】
本発明は、容器本体からの内容物に対する横方向通路およびその外部空間域流出側の泡生成部を備えた操作ボタンの内容物放出操作により、前記内容物が、前記泡生成部を通過してから外部空間域に放出される内容物放出機構に関する。
【０００２】
特に、泡生成用の外気取入れ部を、操作ボタンの横方向通路の泡生成部よりも上流域における下側部分のみに形成した内容物放出機構に関する。
【０００３】
また、この外気取入れ部と連通状態の外気供給空間域を設定する垂下部を、操作ボタンの少なくとも前側部分および左右両側部分に連続形成している。
【０００４】
このように泡生成用の外気取入れ部の設定環境を特定することにより、外気取入れ部が外部からみて目立たないようにしている。
【０００５】
さらには、操作ボタンの横方向通路下側部分に形成した外気取入れ部と連通する下方空間域を、供給外気の加圧および残留内容物の吸引などの機能を備えたバックサクション空間域としている。
【０００６】
本発明の適用対象の液状内容物としては、例えば石けん，消毒剤，化粧品，乳液、シェービングフォーム，ヘアスタイリングフォーム，洗剤，染毛剤，シャンプー，リンス，殺虫剤など、後述のように各種のものがある。
【０００７】
なお、本明細書においては、操作ボタン１の内容物放出側（図１などの左側）を「前」と記し、これの反対側（図１などの右側）を「後」と記す。
【背景技術】
【０００８】
ポンプタイプの内容物放出機構における操作ボタンの横方向通路へ泡生成用の外気取入れ部を形成することは、例えば下記の特許文献１で開示されている。
【０００９】
ここでは、泡生成用の外気取入れ部が、操作ボタンの横方向通路の上側部分に形成されている。
【先行技術文献】
【特許文献】
【００１０】
【特許文献１】特開２０１１−１１０５３０号公報
【発明の概要】
【発明が解決しようとする課題】
【００１１】
このように、従来の泡生成用の外気取入れ部を操作ボタンに形成した内容物放出機構は、この外気取入れ部が横方向通路の上側部分に形成されているので、外から見て目につきやすく、また、異物やほこりなどの流入部として作用するなどの問題点があった。
【００１２】
そこで、本発明では、外気取入れ部を、操作ボタンの横方向通路の泡生成部よりも上流域における下側部分のみに形成し、また外気取入れ部の少なくとも前側および左右両側をいわばカバーする部分を操作ボタンに設けている。
【００１３】
このような外気取入れ部の設定環境限定により、外気取入れ部が目立つことの阻止化を図り、また異物やほこりなどの外気取入れ部への混入，流入を防いで放出内容物の品質維持化を図ることを目的とする。
【００１４】
さらには、この下側に設定した外気取入れ部への供給外気の加圧機能、および内容物放出操作終了後の残留内容物の吸引機能（バックサクション機能）を備えた操作ボタンなどの構成をとっている。
【００１５】
このような供給外気の加圧機能や残留内容物の吸引機能の付加設定により、外気取入れ部への外気供給の効率化を図り、また外部空間域への内容物放出部からの液ダレ防止化を図ることを目的とする。
【課題を解決するための手段】
【００１６】
本発明は、以上の課題を次のようにして解決する。
（１）容器本体（例えば後述の容器本体９）からの内容物に対する横方向通路（例えば後述の横方向通路１ｃ）およびその外部空間域流出側の泡生成部（例えば後述の泡生成用メッシュ３ａ）を備えた操作ボタン（例えば後述の操作ボタン１）の内容物放出操作により、前記横方向通路を流れる霧状態の前記内容物がその流れによる負圧化で外気取入れ部（例えば後述の外気取入れ部１ｇ）より流入する外気とマージされながら前記泡生成部を通過してから外部空間域に放出される内容物放出機構において、
前記外気取入れ部が、
前記横方向通路の、前記泡生成部よりも上流域における異物流入防止作用を呈する下側部分のみに形成された、
構成態様のものを用いる。
（２）上記（１）において、
前記操作ボタンは、
少なくともその前側部分および左右両側部分に連続形成されて、前記外気取入れ部と連通状態の外気供給空間域（例えば後述の外気供給空間域Ｓ１）を設定する垂下部（例えば後述の外筒状部１ｊ）を備えた、
構成態様のものを用いる。
（３）上記（１）において、
前記操作ボタンは、
前記外気取入れ部と連通状態のバックサクション空間域（例えば後述のバックサクション空間域Ｓ２）を設定する筒状垂下部（例えば後述の外筒状部１ｋ）を備え、
前記容器本体の上開口側に取り付けられる筒状のキャップ部材（例えば後述のネジキャップ８）に対して上下動可能な形で設定され、
前記キャップ部材は、
前記垂下筒状部との間でシール作用を呈して前記バックサクション空間域を設定する環状起立部（例えば後述の環状起立部８ｂ）を備え、
前記操作ボタンの内容物放出操作にともない、
前記バックサクション空間域の容積が減少し、その中に流入済みの外気に対する加圧作用により前記外気が前記外気取入れ部から前記横方向通路に供給され、
前記内容物放出操作の解除にともない、
前記バックサクション空間域の容積が増加してその中が減圧状態に移行することにより前記泡生成部やその近くの残留内容物が前記外気取入れ部を介して前記バックサクション空間域に吸い込まれる、
構成態様のものを用いる。
（４）上記（３）において、
前記操作ボタンは、
前記垂下筒状部の内側に、内垂下筒状部（例えば後述の内筒状部１ｈ）を、双方の間の天井部分に前記外気取入れ部が設定される態様で備え、
前記バックサクション空間域は、
前記垂下筒状部と前記内垂下筒状部との間の上空間域と、
前記環状起立部の内側で前記上空間域の下方の下空間域と、からなる、
構成態様のものを用いる。
【００１７】
本発明は、以上の構成からなる内容物放出機構およびこの内容物放出機構を備えたポンプ式製品を対象としている。
【発明の効果】
【００１８】
本発明は、以上の構成をとることにより、
(11)外気取入れ部が外からみて目立つことを阻止できる、
(12)異物やほこりなどの外気取入れ部への混入，流入を防止できる、
(13)外気取入れ部への外気供給を効率的におこなうとともに、外部空間域への内容物放出部からの液ダレを防止できる、
などの効果を奏している。
【図面の簡単な説明】
【００１９】
【図１】泡生成用の外気取入れ部を操作ボタンの横方向通路下側部分のみに形成した、バックサクション機能なしの内容物放出機構の静止状態を示す説明図である。
【図２】図１の内容物放出機構の作動状態を示す説明図である。
【図３】泡生成用の外気取入れ部を操作ボタンの横方向通路下側部分のみに形成し、かつ、バックサクション機能を備えた内容物放出機構の静止状態を示す説明図である。
【図４】図３の内容物放出機構の作動状態を示す説明図である。
【図５】図３の内容物放出機構の操作ボタンの押下げ操作（作動状態設定操作）を解除した後のバックサクション状態を示す説明図である。
【発明を実施するための形態】
【００２０】
図１〜図５を用いて本発明を実施するための最良の形態を説明する。
【００２１】
以上の図で用いるアルファベット付き参照番号の構成要素（例えば押下げ操作面１ａ）は原則として、当該参照番号の数字部分の構成要素（例えば操作ボタン１）の一部であることを示している。
【００２２】
図１〜図５において、
１は周知のステム付勢用のコイルスプリング（図示省略）に抗する形の押下げ操作により作動状態（図２，図４参照）へ移行し、押下げ操作の解除にともない前記コイルスプリングの弾性作用で上動して静止状態（図１，図３参照）に復帰する操作ボタン，
１ａは操作ボタン１の上面からなる押下げ操作面，
１ｂは操作ボタン１の内容物流入側に形成された縦方向上通路，
１ｃは操作ボタン１の内容物流出側で、かつ縦方向上通路１ｂの下流側に形成された縦断面円形状の横方向通路，
１ｄは縦方向上通路１ｂと横方向通路１ｃとのいわば縦方向の境界壁部分の中央広域に形成された前向きの横円柱状部，
１ｅは前記境界壁部分であって、横円柱状部１ｄの外側環状域の上端側に形成されて縦方向上通路１ｂと横方向通路１ｃとを連通させる横孔部，
１ｆは横円柱状部１ｄの外周面前端側に形成された環状段部，
１ｇは横方向通路１ｃの、後述のミストブッシュ２とメッシュブッシュ３との間の下端部分に設定された、スリット形状からなる泡生成用の外気取入れ部，
１ｈは縦方向上通路１ｂの構成要素でもあって、後述のステム４の上端側部分を嵌合保持する横断面円形状の、内垂下筒状部としての内筒状部，
１ｊ，１ｋは内筒状部１ｈを取り囲み、かつ、それとの間の天井部分に外気取入れ部１ｇを配置する態様で形成された横断面円形状の、垂下部，垂下筒状部としての外筒状部（１ｊ：図１，図２、１ｋ：図３〜図５），
１ｍは外筒状部１ｋの下端側に形成されて後述の環状起立部８ｃとの間のシール作用を呈するスカート状部（図３〜図５），
をそれぞれ示している。
【００２３】
また、
２は横方向通路１ｃの後側内周面および横円柱状部１ｄの前端面，外周面などに嵌合状態で固定された後開口鞘状（円筒状）のミストブッシュ，
２ａはミストブッシュ２の後開口側内周面に形成された横リブ状部により画定される横方向通路部，
２ｂはミストブッシュ２の凹状底面の周縁部分からその中心部分に向けて形成された内容物ミスト化用の螺旋状通路部，
２ｃは螺旋状通路部２ｂの流出側に形成された中心流出口，
をそれぞれ示している。
【００２４】
また、
３は横方向通路１ｃの前端側内周面に嵌合状態で固定された円筒状のメッシュブッシュ，
３ａはメッシュブッシュ３の前端開口部分に設けられた、泡生成部としての泡生成用メッシュ，
をそれぞれ示している。
【００２５】
また、
４は結合した上下各部分からなりその上部分が操作ボタン１の内筒状部１ｈに嵌合固定され、前記コイルスプリングにより上方向へ付勢された状態で、周知の弁作用部（図示省略）として作用するステム、
４ａはステム上部分の内部空間域からなり操作ボタン１の縦方向上通路１ｂに連続する縦方向下通路，
４ｂはステム４の外周面に形成されて、後述の下向き環状テーパ面６ａとの当接係止作用により、ステム上部分が上方へ抜けるのを阻止する上向き環状テーパ面，
をそれぞれ示している。
【００２６】
また、
５はステム４の下部分，周知の上下動弁部材（図示省略）およびステム付勢用の前記コイルスプリングなどが配設され、次回の内容物放出操作時の放出対象内容物が収容されているハウジング，
５ａはハウジング５の上端開口部から外向きに形成された環鍔状部，
をそれぞれ示している。
【００２７】
また、
６はハウジング５の上端側内周面に嵌合状態で固定されて、前記コイルスプリングの弾性力に基づくステム最上動位置（図１，図３の静止状態）を画定する環状鍔付きで円筒状の位置規制ブッシュ，
６ａは上向き環状テーパ面４ｂと当接してステム上部分が上方へ抜けるのを阻止する下向き環状テーパ面，
７はハウジング５の外周面上端部分および環鍔状部５ａの下面部分に係合保持された環状シール部材，
をそれぞれ示している。
【００２８】
また、
８は自内周面にハウジング５の環鍔状部５ａを嵌合保持し、これにより操作ボタン１，ミストブッシュ２，メッシュブッシュ３，ステム４，ハウジング５，位置規制ブッシュ６および環状シール部材７などとのユニット構造を生成する、キャップ部材としての円筒状のネジキャップ，
８ａはネジキャップ８の水平板状部であって、その中央開口部分に、ステム４が上下動しえる状態で、また、その回りに位置規制ブッシュ６の上端環状部分が固定状態でそれぞれ配設された環天井部，
８ｂは外筒状部１ｊを取り囲む態様で環天井部８ａの外縁部分から上向きに形成された横断面円形状の環状起立部（図１，図２），
８ｃは外筒状部１ｋを取り囲む態様で環天井部８ａの外縁部分から上向きに形成されて、かつ、スカート状部１ｍとの間でシール作用を呈する横断面円形状の環状起立部（図３〜図５），
８ｄは環状起立部８ｃの内周面上端側に形成され、図３の静止状態において、スカート状部１ｍとの間のシール作用が生じないようにする、すなわち外気を環状起立部８ｃの内部空間域に流入させるための計六個の縦方向溝状部，
８ｅは環天井部８ａの外縁部分から下向きに形成されて、後述の容器本体９の小径上筒状部９ａとの間で螺合作用を呈する横断面円形状の環状垂下部，
８ｆは環状垂下部８ｅの内周面上端部分に形成されて、ハウジング５の環鍔状部５ａを嵌合保持する環凹状部，
８ｇは環凹状部８ｆの下方内周面に形成されたキャップ側ネジ作用部，
をそれぞれ示している。
【００２９】
また、
９はメッシュブッシュ３から外部空間域に放出される内容物を収容した容器本体，
９ａは容器本体９の上端側に形成された横断面円形状の小径上筒状部，
９ｂは小径上筒状部９ａの外周面に形成されてキャップ側ネジ作用部８ｇと螺合する容器本体側ネジ作用部，
をそれぞれ示している。
【００３０】
また、
ｆ１は外気取入れ部１ｇから横方向通路１ｃに流入して泡生成用メッシュ３ａの方に供給されるときの泡生成用外気の流れ（図２，図４），
ｆ２は内容物放出操作（操作ボタン１の押下げ操作）を解除して操作ボタン１が周知のコイルスプリングの弾性作用で図３の初期状態に復帰する際の、バックサクション作用にともなう残留内容物の流れ（図５），
Ｓ１は少なくとも内筒状部１ｈの外周面と外筒状部１ｊの内周面との間に設定されて、外気取入れ部１ｇと連通する外気供給空間域（図１，図２），
Ｓ２は環状起立部８ｃの内周面およびこれとシール状態の外筒状部１ｋ、さらには内筒状部１ｈ，ステム４，位置規制ブッシュ６および環天井部８ａなどで構成され、外気取入れ部１ｇと連通する略閉状態のバックサクション空間域（図４，図５），
をそれぞれ示している。
【００３１】
ここで、操作ボタン１，ミストブッシュ２，メッシュブッシュ３，ステム４，ハウジング５，位置規制ブッシュ６，ネジキャップ８および容器本体９は、例えばポリプロピレン，ポリエチレン，ポリアセタール，ナイロン，ポリブチレンテレフタレートなどのプラスチック製のものである。環状シール部材７はプラスチック製，ゴム製のものである。
【００３２】
泡生成用メッシュ３ａとしては、格子状メッシュ，蜂の巣状メッシュ，円状メッシュおよびターゲット状メッシュなどが用いられる。
【００３３】
図３〜図５のバックサクション空間域Ｓ２は、外筒状部１ｋと内筒状部１ｈとの間の上空間域、および環状起立部８ｃの内側で前記上空間域の下方の下空間域と、からなる。
【００３４】
図示の内容物放出機構の基本的特徴は、
(21)泡生成用の外気取入れ部１ｇを、操作ボタン１の横方向通路１ｃの、泡生成用メッシュ３ａより上流域の下側部分にのみ形成することにより、外気取入れ部１ｇが目立たないようにし（図１〜図５）、
(22)また、外気供給空間域Ｓ１を、内筒状部１ｈおよび外筒状部１ｊで設定することにより、外気取入れ部１ｇが外から見えないようにし（図１，図２）、
(23)また、バックサクション空間域Ｓ２の設定により、外気取入れ部１ｇが見えないようにするとともに、内容物放出操作時には空間域Ｓ２の加圧作用で外気供給を確実に実行し、操作解除時には空間域Ｓ２の負圧化作用で残留内容物をこの空間域側へ吸引する（図３〜図５）、
ことなどである。
【００３５】
このように、図１〜図５の内容物放出機構の利用者は、操作ボタン１の横方向通路１ｃの下側部分のみに形成された外気取入れ部１ｇが何ら気にならない状態で、操作ボタン１の押下げ操作およびその解除をおこなえる。
【００３６】
また、外気取入れ部１ｇの横方向外側には外筒状部１ｊ（図１，図２），１ｋ（図３〜図５）を形成しているので、この外気取入れ部が外から見えることもない。
【００３７】
なお、図１および図２の外筒状部１ｊは、図示のような筒状垂下部ではなく、少なくとも操作ボタン１の前側部分およびこれに続く左右両側部分をカバーする形の円弧状垂下部でもよい。
【００３８】
ここで、内容物放出状態で外気取入れ部１ｇから内容物の一部が下方に垂れたとしても、それはステム４の外周面，環天井部８ａの上面および環状起立部８ｂ，８ｃの内周面などからなる環凹状部に収容されるので、利用者がこれを気にする状況も生じない。
【００３９】
図３〜図５の内容物放出機構ではその内容物放出操作のとき、略閉状態のバックサクション空間域Ｓ２の容積減少にともなうその中の外気へのポンプ作用により、空間域Ｓ２の収容外気は外気取入れ部１ｇから横方向通路１ｃへと確実に供給される。
【００４０】
また、内容物放出操作解除のとき、バックサクション空間域Ｓ２の容積増加にともなうバックサクション作用により、泡生成用メッシュ３ａなどでの残留内容物は外気取入れ部１ｇおよび空間域Ｓ２の方に吸引されるので、内容物放出口からの液ダレは生じない。
【００４１】
このバックサクション作用で外気取入れ部１ｇおよび空間域Ｓ２の方に吸引された残留内容物も上記環凹状部に溜まるので、これが外部空間域に漏れるようなこともない。
【００４２】
図１および図３の静止状態のとき、操作ボタン１およびこれが取り付けられたステム４は、ハウジング５に配設された周知のコイルスプリング(図示省略)の上方向への弾性作用によりその上動位置に保持されている。
【００４３】
操作ボタン１の上動位置は、ハウジング５の内部に配設されて上下動する周知の弁部材（図示省略）がその最上位置で位置規制ブッシュ６に係止され、かつ、この最上位置の弁部材にステム下部分が係止された状態に対応している。
【００４４】
この静止状態のとき、ハウジング５の内部に配設された周知の吸込弁および吐出弁（ともに図示省略）は閉状態に設定されている。
【００４５】
また、吸込弁から吐出弁までの貯留空間域には、前回の内容物放出操作終了後の吐出弁上動にともなってその内圧が減少し、吸込弁が開状態に移行することにより、容器本体の収容内容物が流入している。
【００４６】
図２および図４の作動状態、すなわち操作ボタン１の押下げ操作面１ａが押圧されて、ステム４が下動した状態では、前記貯留空間域の容積が静止状態よりも小さくなる。
【００４７】
その結果、貯留空間域の内容物圧力が増加して周知の吐出弁が開き、貯留空間域収容内容物は概略「ステム４の縦方向下通路４ａ−操作ボタン１の縦方向上通路１ｂ−操作ボタン１の横方向通路１ｃ」を経て、泡生成用メッシュ３ａから外部空間域に流出する。
【００４８】
この横方向通路１ｃを通過する内容物は、先ずミストブッシュ２の横方向通路部２ａおよび螺旋状通路部２ｂなどを経て、その中心流出口２ｃからいわば横方向通路中流域に霧状態で流出する。
【００４９】
中心流出口２ｃから流出する霧状内容物は、外気供給空間域Ｓ１またはバックサクション空間域Ｓ２から外気取入れ部１ｇを経て流入する外気とマージしながら泡生成用メッシュ３ａの方へ流れ、いわば撹拌された泡状内容物の形で外部空間域に放出される。
【００５０】
なお、バックサクション空間域Ｓ２には図３の静止状態のときに、外気が、ネジキャップ８（環状起立部８ｃ）の縦方向溝状部８ｄを介して流入済みである。
【００５１】
ここで、外気が、外気供給空間域Ｓ１またはバックサクション空間域Ｓ２から外気取入れ部１ｇを経て横方向通路１ｃに流入するのは、
(31)図２の作動状態の場合、
ミストブッシュ２の中心流出口２ｃからメッシュブッシュ３の方へ放出対象内容物が流れることにより、外気取入れ部１ｇの上側部分（横方向通路１ｃ）がその下側部分（外気供給空間域Ｓ１）よりも負圧化するためであり、
(32)図４の作動状態の場合、
上記(31)と同様の負圧化に加え、外筒状部１ｋのスカート状部１ｍと環状起立部８ｃの内周面とのシール作用により設定される略閉状態のバックサクション空間域Ｓ２の容積が減少して、そこでの収容外気圧力が大きくなるからである。
【００５２】
図５は、図４の操作ボタン１に対する内容物放出用の押下げ操作を解除した後のバックサクション動作を示している。
【００５３】
すなわち、利用者が操作ボタン１の押下げ操作（内容物放出操作）をやめると、この操作ボタンおよびステム４の一体物は、ハウジング５の内部に配設された周知の前記コイルスプリング(図示省略)の弾性力で上動して図３の静止状態へ復帰する。
【００５４】
この上動過程において、外気取入れ部１ｇにおいてのみ開口するバックサクション空間域Ｓ２の容積が増加し、そこでの内圧が低下するため、横方向通路１ｃに対してのバックサクション作用が生じる。
【００５５】
このバックサクション作用により、泡生成用メッシュ３ａ，メッシュブッシュ３や横方向通路１ｃなどに残留する内容物が外気取入れ部１ｇを介してその下方のバックサクション空間域Ｓ２に吸引される。
【００５６】
本発明が以上の実施形態に限定されないことは勿論であり、例えば、
(41)スパウト式の操作ボタンに適用する、
(42)泡生成用メッシュ３ａに代えて、メッシュブッシュ３のト内周面に形成された凹凸部やリブ状部などを用いる、
(43)ネジキャップ８の環状起立部８ｂ，８ｃの外側に操作ボタン１の外筒状部１ｊ，１ｋを設定する、
ようにしてもよい。
【００５７】
本発明が適用されるポンプ式製品としては、洗浄剤，清掃剤，制汗剤，冷却剤，筋肉消炎剤，ヘアスタイリング剤，ヘアトリートメント剤，染毛剤，育毛剤，化粧品，シェービングフォーム，食品，栄養補助食品（ビタミンなど）医薬品，医薬部外品，塗料，園芸用剤，忌避剤（殺虫剤），クリーナー，消臭剤，洗濯のり，ウレタンフォーム，消火器，接着剤，潤滑剤などの各種用途のものがある。
【００５８】
容器本体に収納する内容物は、主に液状のものを用いるが、噴霧可能なものであればクリーム状，ゲル状など種々の形態のものでもよい。また、内容物に配合される成分としては例えば、粉状物，油成分，アルコール類，界面活性剤，高分子化合物，各用途に応じた有効成分，水などが挙げられる。
【００５９】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，塩化マグネシウム，シリカ，酸化亜鉛，酸化チタン，ゼオライト，ナイロンパウダー，硫酸バリウム，セルロース，これらの混合物などを用いる。
【００６０】
油成分としては、ジメチルポリシロキサンなどのシリコーン油，ミリスチン酸イソプロピルなどのエステル油，パーム油，ユーカリ油，ツバキ油，オリーブ油，ホホバ油などの油脂，流動パラフィンなどの炭化水素油，ミリスチン酸，パルミチン酸，ステアリン酸，リノール酸，リノレン酸などの脂肪酸などを用いる。
【００６１】
アルコール類としては、エタノールなどの１価の低級アルコール，ラウリルアルコールやセタノールなどの１価の高級アルコール，エチレングリコール，１，３−ブチレングリコールやグリセリンなどの多価アルコールなどを用いる。
【００６２】
界面活性剤としては、ラウリル硫酸ナトリウムなどのアニオン性界面活性剤，ポリオキシエチレンアルキルエーテルやポリグリセリン脂肪酸エステルなどの非イオン性界面活性剤，ラウリルジメチルアミノ酢酸ベタインなどの両性界面活性剤，塩化アルキルトリメチルアンモニウムなどのカチオン性界面活性剤などを用いる。
【００６３】
高分子化合物としては、ヒドロキシエチルセルロース，メチルセルロース，ゼラチン，デンプン，カゼイン，キサンタンガム，カルボキシビニルポリマーなどを用いる。
【００６４】
各用途に応じた有効成分としては、パラフェニレンジアミン，アミノフェノールなどの染料，過酸化水素水などの酸化剤，アクリル系樹脂やワックスなどのセット剤，パラメトキシケイ皮酸２−エチルヘキシルなどの紫外線吸収剤，レチノールやｄｌ−α−トコフェロールなどのビタミン，ヒアルロン酸などの保湿剤，サリチル酸メチル，インドメタシンなどの消炎鎮痛剤，安息香酸ナトリウム，クレゾールなどの除菌剤，ピレスロイド，ジエチルトルアミドなどの害虫忌避剤，パラフェノールスルホン酸亜鉛などの制汗剤，カンフル，メントールなどの清涼剤，エフェドリン，アドレナリンなどの抗喘息薬，スクラロース，アスパルテームなどの甘味料，エポキシ樹脂，ウレタンなどの接着剤や塗料，パラフェニレンジアミン，アミノフェノールなどの染料，過酸化水素水などの酸化剤，リン酸二水素アンモニウム，炭酸水素ナトリウム・カリウムなどの消火剤などを用いる。
【００６５】
さらに、上記内容物以外の、懸濁剤，乳化剤，酸化防止剤，金属イオン封鎖剤なども用いることができる。
【符号の説明】
【００６６】
１：操作ボタン
１ａ：押下げ操作面
１ｂ：縦方向上通路
１ｃ：横方向通路
１ｄ：横円柱状部
１ｅ：横孔部
１ｆ：環状段部
１ｇ：外気取入れ部
１ｈ：内筒状部
１ｊ：外筒状部（図１，図２）
１ｋ：外筒状部（図３〜図５）
１ｍ：スカート状部（図３〜図５）
【００６７】
２：ミストブッシュ
２ａ：横方向通路部
２ｂ：螺旋状通路部
２ｃ：中心流出口
３：メッシュブッシュ
３ａ：泡生成用メッシュ
４：ステム
４ａ：縦方向下通路
４ｂ：上向き環状テーパ面
５：ハウジング
５ａ：環鍔状部
６：位置規制ブッシュ
６ａ：下向き環状テーパ面
７：環状シール部材
【００６８】
８：ネジキャップ
８ａ：環天井部
８ｂ：環状起立部（図１，図２）
８ｃ：環状起立部（図３〜図５）
８ｄ：縦方向溝状部（図３〜図５）
８ｅ：環状垂下部
８ｆ：環凹状部
８ｇ：キャップ側ネジ作用部
９：容器本体
９ａ：小径上筒状部
９ｂ：容器本体側ネジ作用部
【００６９】
ｆ１：泡生成用外気の流れ（図２，図４）
ｆ２：バックサクション作用にともなう残留内容物の流れ（図５）
Ｓ１：外気供給空間域（図１，図２）
Ｓ２：バックサクション空間域（図３〜図５）
【図１】
0006570116.tif 000002
【図２】
0006570116.tif 000003
【図３】
0006570116.tif 000004
【図４】
0006570116.tif 000005
【図５】
0006570116.tif 000006